(57)【要約】【課題】放電部毎に異なる量のイオンを発生可能として、イオンの塗布効果を向上したイオン発生装置及びそれを備えた美容装置を提供することを課題とする。【解決手段】放電によりイオンを発生する複数の放電部１０１，２０１と、複数の放電部１０１，２００に共通した高電圧の放電電力を出力する高電圧発生部３００とを有し、放電部１０１と放電部２０１とは異なる形態で構成され、放電部１０１は抵抗体Ｒ１０１ならびに抵抗体Ｒ１０２を介して高電圧発生部３００と接続され、放電部２０１は抵抗体Ｒ２０１ならびに抵抗体Ｒ２０２を介して高電圧発生部３００と接続されて構成されている。【選択図】図１
2011005147.tif 000002
【特許請求の範囲】
【請求項１】
放電によりイオンを発生する複数の放電部と、
前記複数の放電部に共通した放電電力を出力する高電圧発生部とを有し、
前記複数の放電部の内、少なくとも１つの放電部は、他の放電部と異なる形態で構成され、前記それぞれの放電部と前記高電圧発生部とは抵抗体を介して接続され、前記抵抗体の内、少なくとも１つの抵抗体の抵抗値は、他の抵抗体の抵抗値と異なる
ことを特徴とするイオン発生装置。
【請求項２】
前記複数の放電部の内、少なくとも１つの放電部を構成する一対の放電体の一方の放電体に接地電位を除く所定の電位が与えられる
ことを特徴とする請求項１に記載のイオン発生装置。
【請求項３】
前記一方の放電体は、抵抗体を介して接地されている
ことを特徴とする請求項２に記載のイオン発生装置。
【請求項４】
前記高電圧発生部は、交流の放電電力を出力し、
前記複数の放電部の内、少なくとも１つの放電部は交流の放電電力で放電を行い、
前記複数の放電部の内、少なくとも１つの放電部は交流の放電電力を変換して得られる直流の放電電力で放電を行う
ことを特徴とする請求項１〜３のいずれか１項に記載のイオン発生装置。
【請求項５】
前記複数の放電部の内、少なくとも１つの放電部の放電体は遷移金属から構成されている
ことを特徴とする請求項１〜４のいずれか１項に記載のイオン発生装置。
【請求項６】
前記複数の放電部の内、少なくとも１つの放電部は、放電部に液体を供給する液体供給手段を備え、前記液体供給手段から供給された液体を静電霧化する
ことを特徴とする請求項１〜５のいずれか１項に記載のイオン発生装置。
【請求項７】
前記高電圧発生部と前記各放電部とは、放電による損傷の少ないリード線で接続され、  前記抵抗体は、屈曲して配置される
ことを特徴とする請求項１〜６のいずれか１項に記載のイオン発生装置。
【請求項８】
前記請求項１〜７のいずれか１項に記載のイオン発生装置を備えた
ことを特徴とする美容装置。
【発明の詳細な説明】
【技術分野】
【０００１】
本発明は、複数の放電部を備えたイオン発生装置及びそれを備えた美容装置に関する。
【背景技術】
【０００２】
従来、この種の技術としては、例えば以下に示す文献に記載されたものが知られている（特許文献１参照）。この文献には、１つの高電圧発生部から給電される同一形態の複数の針状のマイナスイオン発生電極と、各マイナスイオン発生電極に共通した対向電極とを備えたヘアードライヤの技術が記載されている。
【０００３】
このように、イオンを発生させる複数の放電部を備えることで、単一の放電部のみの場合に比べて、多くのマイナスイオンを発生させることが可能となる。したがって、このような技術を美容装置に採用し、発生したイオンを髪や肌に与えることで、例えば髪であれば毛髪の水分率を高い状態に保持し、髪をしっとりサラサラにするといった髪質を改善できる効果が得られる。
【先行技術文献】
【特許文献】
【０００４】
【特許文献１】特開２００７−１５９８１０号公報
【発明の概要】
【発明が解決しようとする課題】
【０００５】
さらに、髪や肌への効果を高めるためには、イオンの塗布量を髪や肌の部位毎に変える必要があった。すなわち、髪や肌へ与えるイオン量と効果との間には相関関係があり、例えば毛髪の場合には、与えるイオンが少なすぎると十分な髪質改善効果が得られない一方、多すぎると毛髪が帯電して髪質改善効果が逆に低下してしまう。
【０００６】
また、髪の部位別でみると、毛髪の根本は地肌に触れているので帯電し難いのに対して、毛先では帯電しやすくなる。このため、髪に対しては根本に多くのイオンを与える一方、毛先には少ないイオンを与えることが望ましい。
【０００７】
しかしながら、上記従来のヘアードライヤで採用されたイオンを発生する技術では、複数の電極に共通の電力を供給する構成を採用しているので、同時に複数の各電極で異なった量のイオンを発生することができなかった。このため、上述したように、イオンを与える部位毎に発生するイオンの量を適正化することが困難となり、十分な効果が得られないおそれがあった。
【０００８】
そこで、本発明は、上記に鑑みてなされたものであり、その目的とするところは、放電部毎に異なる量のイオンを発生可能として、イオンの塗布効果を向上したイオン発生装置及びそれを備えた美容装置を提供することにある。
【課題を解決するための手段】
【０００９】
請求項１の発明にあっては、放電によりイオンを発生する複数の放電部と、複数の放電部に共通した放電電力を出力する高電圧発生部とを有し、複数の放電部の内、少なくとも１つの放電部は、他の放電部と異なる形態で構成され、それぞれの放電部と高電圧発生部とは抵抗体を介して接続され、抵抗体の内、少なくとも１つの抵抗体の抵抗値は、他の抵抗体の抵抗値と異なることを特徴とする。
【００１０】
請求項２の発明にあっては、請求項１の発明において、複数の放電部の内、少なくとも１つの放電部を構成する一対の放電体の一方の放電体に接地電位を除く所定の電位が与えられることを特徴とする。
【００１１】
請求項３の発明にあっては、請求項２の発明において、一方の放電体は、抵抗体を介して接地されていることを特徴とする。
【００１２】
請求項４の発明にあっては、請求項１〜３のいずれか１項に記載の発明において、高電圧発生部は、交流の放電電力を出力し、複数の放電部の内、少なくとも１つの放電部は交流の放電電力で放電を行い、複数の放電部の内、少なくとも１つの放電部は交流の放電電力を変換して得られる直流の放電電力で放電を行うことを特徴とする。
【００１３】
請求項５の発明にあっては、請求項１〜４のいずれか１項に記載の発明において、複数の放電部の内、少なくとも１つの放電部の放電体は遷移金属から構成されていることを特徴とする。
【００１４】
請求項６の発明にあっては、請求項１〜５のいずれか１項に記載の発明において、複数の放電部の内、少なくとも１つの放電部は、放電部に液体を供給する液体供給手段を備え、液体供給手段から供給された液体を静電霧化することを特徴とする。
【００１５】
請求項７の発明にあっては、請求項１〜６のいずれか１項に記載の発明において、高電圧発生部と各放電部とは、放電による損傷の少ないリード線で接続され、抵抗体は、屈曲して配置されることを特徴とする。
【００１６】
請求項８の発明にあっては、請求項１〜７のいずれか１項に記載のイオン発生装置を備えたことを特徴とする美容装置である。
【発明の効果】
【００１７】
請求項１の発明によれば、各放電部で個別に放電効率を調整することができるので、イオンを塗布する部位に応じたイオン量のイオンを発生させることが可能となる。これにより、イオンを与える部位毎にその効果を向上させることができる。
【００１８】
請求項２の発明によれば、発生させるイオン量を増加させることが可能となり、髪や肌へのイオンの塗布効果を高めることが可能となる。
【００１９】
請求項３の発明によれば、小型な構成でもって、一方の放電部に接地電位を除く所定の電位を与えることが可能となる。
【００２０】
請求項４の発明によれば、プラスイオンならびにマイナスイオンを同時に発生することが可能となり、双方のイオンを髪に与えることで、髪への美容効果を高めることができる。
【００２１】
請求項５の発明によれば、金属微粒子を発生することは可能となり、この金属微粒子を髪や肌に与えることで紫外線のプロテクト効果を得ることができる。
【００２２】
請求項６の発明によれば、イオンを含んだ液体の微粒子を発生することが可能となり、この微粒子を髪や肌に与えることで髪や肌に潤いを与えることができる。
【００２３】
請求項７の発明によれば、放電を安定化させることが可能になることに加えて、狭いスペースに抵抗体を収納することが可能となる。
【００２４】
請求項８の発明によれば、髪や肌にイオンを与える美容装置における美容効果を高めることができる。
【図面の簡単な説明】
【００２５】
【図１】本発明の実施例１に係るイオン発生装置の構成を示す図である。
【図２】本発明の実施例１に係るイオン発生装置の変形例を示す図である。
【図３】本発明の実施例１に係るイオン発生装置が適用可能な美容装置としてのヘアドライヤの断面図である。
【図４】図３に示すヘアドライヤを出口開口側から見た正面図である。、
【図５】図３に示すヘアドライヤの本体内部を一部拡大した平面図である。
【図６】本発明の実施例１に係るイオン発生装置が適用可能な美容装置としてのヘアブラシの断面図である。
【図７】本発明の実施例１に係るイオン発生装置が適用可能な美容装置としての他のヘアブラシの断面図である。
【図８】本発明の実施例１に係るイオン発生装置が適用可能な美容装置としてのヘアアイロンの側面図である。
【図９】図８に示すヘアアイロンのＡ−Ａ断面図である。
【図１０】本発明の実施例１に係るイオン発生装置が適用可能な美容装置としての他のヘアアイロンの正面図である。
【図１１】図１０に示すヘアアイロンの側面図である。
【図１２】図１０に示すヘアアイロンの側面断面図である。
【図１３】本発明の実施例１に係るイオン発生装置が適用可能な美容装置としての他のヘアアイロンの正面図である。
【図１４】図１３に示すヘアアイロンの側面図である。
【図１５】本発明の実施例１に係るイオン発生装置が適用可能な美容装置としてのミスト発生装置の構成を示すブロック図である。
【図１６】図１５に示すミスト発生装置の外観を示す斜視図である。
【発明を実施するための形態】
【００２６】
以下、図面を用いて本発明を実施するための実施例を説明する。
【実施例１】
【００２７】
図１は本発明の実施例１に係るイオン発生装置の要部構成を示す図である。図１に示す実施例１のイオン発生装置は、マイナスイオン発生部１００と微細化ミスト発生部２００と高電圧発生部３００とを備えて構成されている。
【００２８】
マイナスイオン発生部１００は、放電部１０１ならびに抵抗体Ｒ１０１，Ｒ１０２を備えて構成されている。放電部１０１は、導電性を有する金属材料によって形成される放電極１０１ａとこの放電極１０１ａに対向する放電対向部１０１ｂを有して構成されている。放電極１０１ａは、抵抗体Ｒ１０１を介して高電圧発生部３００のマイナス極端子に接続され、マイナスの高電圧が印加される。放電対向部１０１ｂは、抵抗体Ｒ１０２を介して高電圧発生部３００のグランド端子に接続されている。なお、放電対向部１０１ｂは、抵抗体Ｒ１０２の抵抗値を０とした場合にはグランド電位となりグランド電極として機能することになる。
【００２９】
抵抗体Ｒ１０１，Ｒ１０２を介してこれら放電極１０１ａと放電対向部１０１ｂとの間に高電圧発生部３００によって高電圧を印加して放電（コロナ放電等）を生じさせ、その放電作用によって放電極１０１ａや放電対向部１０１ｂ等から例えばＮＯ２−、ＮＯ３−等のマイナスイオンを発生して放出させる。
【００３０】
放電極１０１ａは、極細の線材として構成することができ、その場合に、断面形状としては、円形、楕円形、多角形形状等、各種採用することができる。なお、放電極１０１ａは、尖端を有する針状に形成してもよい。
【００３１】
また、放電極１０１ａは、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。マイナスイオン発生部１００で生成され放出されたマイナスイオンに微粒子の上記金属、金や、銀、銅、亜鉛等が含まれている場合は、この金属の微粒子によって抗菌作用を生じさせることができる。また、金属の微粒子に、白金、亜鉛、チタン等が含まれている場合、この金属の微粒子によって抗酸化作用を生じさせることができる。なお、白金の微粒子は、抗酸化作用が極めて高いことが判明している。また、金属微粒子を髪や肌に与えることで、紫外線から髪や肌を守る効果を得ることができる。なお、金属微粒子の放出をさせない部分（例えば放電対向部１０１ｂ等）は、ステンレススチールや、タングステン等を用いて構成することができる。
【００３２】
放電対向部１０１ｂは、例えば放電極１０１ａの先端側に予め設定された所定の距離だけ離間させて放電極１０１ａの延伸方向と略直交して配置される環状かつ板状の部材として設けることができる。また、放電対向部１０１ｂをグランド電極として機能させる場合には、放電部１０１を収納する収納体で構成することも可能である。
【００３３】
抵抗体Ｒ１０１，Ｒ１０２は、回路部品としての抵抗素子として構成する他に、所望の抵抗値が得られる抵抗体であればよく、例えば放電部１０１を収納する収納体を抵抗体として機能させてもかまわない。抵抗体Ｒ１０１，Ｒ１０２は、高電圧発生部３００から出力される高電圧の放電電力に対して、予め設定されたイオン量のマイナスイオンを発生させるのに適した放電電力が放電極１０１ａと放電対向部１０１ｂとの間に与えられるように、その抵抗値がそれぞれ独立して個別に適宜設定される。したがって、抵抗体Ｒ１０１，Ｒ１０２の抵抗値は同一もしくは異なって設定される。
【００３４】
微細化ミスト発生部２００は、放電部２０１ならびに抵抗体Ｒ２０１，Ｒ２０２を備えて構成されている。放電部２０１は、導電性を有する金属材料によって形成される放電極２０１ａおよび放電対向部２０１ｂを有して構成されている。放電極２０１ａは、抵抗体Ｒ２０１を介して高電圧発生部３００のマイナス極端子に接続され、マイナスの高電圧が印加される。放電対向部２０１ｂは、抵抗体Ｒ２０２を介して高電圧発生部３００のグランド端子に接続されている。なお、放電対向部２０１ｂは、抵抗体Ｒ２０２の抵抗値を０とした場合にはグランド電位となりグランド電極として機能することになる。
【００３５】
抵抗体Ｒ２０１，Ｒ２０２を介してこれら放電極２０１ａと放電対向部２０１ｂとの間に高電圧発生部３００によって高電圧を印加して放電（コロナ放電等）を生じさせる。具体的には、例えば放電極２０１ａを針状に形成し、放電対向部２０１ｂは放電極２０１ａの先端側に予め設定された所定の距離だけ離間配置した環状かつ板状の部材として形成することができる。
【００３６】
微細化ミスト発生部２００は、冷却機構としてのペルチェ素子（図示せず）および熱伝導性を有する部材（例えば金属部材等）からなる冷却板（図示せず）とを含んでおり、ペルチェ素子によって冷却された冷却板の表面に空気中の水分を結露させ、結露水を生じるようになっている。これにより、供給された水、すなわち結露水が、放電作用によって微粒化され、ナノメータサイズの非常に細かいミスト（マイナスイオンを含むマイナスに帯電されて微細化されたミスト）が発生して静電霧化を行う。ここで、ペルチェ素子および冷却板が液体供給手段に相当する。
【００３７】
抵抗体Ｒ２０１，Ｒ２０２は、回路部品としての抵抗素子で構成する他に、所望の抵抗値が得られる抵抗体であればよく、例えば放電部２０１を収納する収納体を抵抗体として機能させてもかまわない。抵抗体Ｒ２０１，Ｒ２０２は、高電圧発生部３００から出力される高電圧の放電電力に対して、予め設定されたイオン量の微細化されたミストを発生させるのに適した放電電力が放電極２０１ａと放電対向部２０１ｂとの間に与えられるように、その抵抗値がそれぞれ独立して個別に適宜設定される。したがって、抵抗体Ｒ２０１，Ｒ２０２の抵抗値は、同一もしくは異なって設定され、またマイナスイオン発生部１００の抵抗体Ｒ１０１，Ｒ１０２の抵抗値とは異なって設定することができる。
【００３８】
放電対向部２０１ｂをグランド電極として機能させる場合には、放電部２０１を収納する収納体で構成することも可能である。
【００３９】
高電圧発生部３００は、直流の高電圧を生成する例えばイグナイタ等で構成され、予め設定された直流のマイナスの高電圧をマイナスイオン発生部１００の放電部１０１ならびに微細化ミスト発生部２００の放電部２０１に共通して同時に供給する。なお、いずれか一方の放電部にのみ選択的に供給できる機能を加えてもかまわない。
【００４０】
一方、高電圧発生部３００は、交流の高電圧を発生するように構成してもよく、その場合には図２に示すようにマイナスイオン発生部１００の抵抗体Ｒ１０１と高電圧発生部３００との間に整流用のダイオードＤ１００を挿入し、抵抗体Ｒ１０２を介して放電対向部１０１ｂをグランドに接続することで、高電圧発生部３００から放電部１０１にマイナスの高電圧を供給して、図１に示す構成と同様にマイナスイオンを発生させることができる。
【００４１】
なお、高電圧発生部３００は、プラスの高電圧を発生して放電部１０１に供給してもよく、その場合には放電部１０１はプラスイオンを発生することが可能となる。
【００４２】
本実施例１では、放電部の数を２つとして説明したが、３つ以上の複数の放電部を備えていてもかまわない。その場合に、少なくとも１つの放電部の形態が他とは異なる形態となるように構成される。ここで、放電部の形態とは、放電極の形状、特に先端部の形状、放電極の長さ、太さ、材質ならびに極間距離（この実施例１では放電極と対向放電部との間の距離）を指すものとする。したがって、図１に示す２つの放電部を有する構成では、マイナスイオン発生部１００の放電部１０１と微細化ミスト発生部２００の放電部２０１との形態は異なるように構成される。
【００４３】
このように上記実施例１においては、高電圧発生部３００と各放電部１０１、２０１との間に抵抗体Ｒ１０１，Ｒ１０２，Ｒ２０１，Ｒ２０２を設け、それらの各抵抗値を適宜独立して調整し設定することで、共通の高電圧発生部３００から出力される同一の電力に対して、各放電部１０１，２０１の放電に適した電力を各放電部１０１，２０１に個別に供給することが可能となる。これにより、形態が異なる複数の放電部に対して、各放電部の目的にあった異なる放電効率で各放電部で放電することができる。したがって、それぞれ異なるイオン量のイオンを各放電部で発生することが可能となり、イオンを塗布する部位に応じて最適なイオン量のイオンを発生することができる。これにより、発生した異なるイオン量を髪や肌の対応する各部位に与えることで、髪をしっとりさせる効果や、肌に潤いを与える効果を同時に得ることが可能となる。また、マイナスイオンと金属微粒子を同時に与えることも可能となる。
【００４４】
また、高電圧発生部３００を共通化できるので、構成の小型化ならびにコストの削減を図ることができる。また、従来からある各放電部を組み合わせることが可能となるので、新たに放電部を開発する必要はなく、製造コストを削減することができる。
【００４５】
放電対向部１０１ｂ，２０１ｂに接続される抵抗体Ｒ１０２，Ｒ２０２の抵抗値を０とすることで、放電対向部１０１ｂ，２０１ｂに接地電位を与えることで、各放電部１０１、２０１の電界が安定して電界強度の増強、安定化を図ることができ、各放電部１０１，２０１における電子の発生量を安定させることができる。これにより、各放電部１０１，２０１におけるイオン量のばらつきを抑制することが可能となることに加えて、発生するイオン量を容易に調整制御することが可能となる。
【００４６】
放電対向部１０１ｂ、２０１ｂに抵抗体Ｒ１０２，Ｒ２０２を接続して各放電部１０１，２０１にグランド電位以外の所定の電位を与えることで、各放電対向部１０１ｂ、２０１ｂに流れる電流量を制御することが可能となり、放電対向部１０１ｂ、２０１ｂをグランド電位とした場合に比べて放電対向部１０１ｂ、２０１ｂに吸収される電子量を低減することができ、塗布できるイオン量を増加させることができる。これにより、髪や肌へのイオン塗布効果を高めることができる。
【００４７】
高電圧発生部３００で交流の高電圧を発生して放電部に供給することで、プラスイオンならびにマイナスイオンのいずれか一方または双方を同時に発生することができる。プラスイオンとマイナスイオンとを同時に発生して髪に与えた場合には、毛髪がマイナス電位に帯電している場合には、毛髪はプラスイオンを引き寄せやすくなる一方、毛髪がプラス電位に帯電している場合には、マイナスイオンを引き寄せやすくなる。すなわち、髪は帯電していない状態にすることが可能となり、髪の拡がりを抑える効果を得ることができる。
【００４８】
マイナスイオンとともに静電霧化によりイオンを含んだ微粒子化された水等の液体を発生させて髪や肌に塗布することで、マイナスイオンの塗布効果に加えて髪や肌に潤いを与えることができる。
【００４９】
各放電部１０１，２０１と高電圧発生部３００とを、放電による損傷が比較的に少ない例えばフッ素樹脂等の被覆材で覆われたリード線を介して接続することで、シリコン等の被覆材で覆われたリード線を用いた場合に比べて被覆材のシリコンが放電極に付着して放電が不安定になるといった不具合を回避することができる。また、これらのリード線に各抵抗体を屈曲部として接続することで、ヘアードライア等の髪ケア装置の比較的狭いケース内に容易に収納することが可能となり、生産性を向上することができる。
【００５０】
この実施例１のイオン発生装置を、ヘアドライヤ、ヘアブラシ、ヘアアイロン等の美容装置に適用することで、小型な構成で、髪や肌への美容効果を高めた美容装置を提供することができる。
【実施例２】
【００５１】
図３，図４，図５は、本発明の実施例２を示しており、このうち、図３、は上述した本発明の特徴的な技術思想が適用可能な美容装置としてのヘアドライヤの断面図、図４は、ヘアドライヤを出口開口側から見た正面図、図５は、ヘアドライヤの本体部内で金属微粒子生成部（実施例１のマイナスイオン発生部１００に相当）１０とミスト生成部（微細化ミスト発生部２００に相当）１１が設けられる部分を拡大して示す平面図である。なお、以下に示す複数の実施例には同様の構成要素が含まれており、それら同様の構成要素に共通の符号を付与するとともに、重複する説明を省略する。
【００５２】
ヘアドライヤ１は、使用者が手で握る部分としての把持部１ａと、把持部１ａと交差する方向に結合された本体部１ｂとを備えており、使用時には把持部１ａと本体部１ｂとで略Ｔ字状あるいは略Ｌ字状（本実施例２では略Ｔ字状）の外観を呈するように構成されている。把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００５３】
ヘアドライヤ１の外壁をなすケース３は、複数の分割体を継ぎ合わせて構成されている。ケース３の内部には空洞が形成されており、この空洞内に、各種電気部品が収容されている。
【００５４】
本体部１ｂの内部には、その長手方向（図３の左右方向）の一方側（右側）の入口開口４ａから出口開口４ｂに至る風洞４が形成されており、この風洞４内に収容されたファン５を回転させることによって空気流Ｗが形成される。すなわち、空気流Ｗは、外部から入口開口４ａを介して風洞４内に流入し、当該風洞４内を通って出口開口４ｂから外部に排出される。
【００５５】
また、本体部１ｂにおいて、ケース３の外筒３ａの内部には、略円筒状の内筒６が設けられており、空気流Ｗはこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。ヒータ８を作動させたときには、出口開口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００５６】
そして、本体部１ｂ内で、ケース３と内筒６との間に形成された空洞９に、金属微粒子生成部１０や、ミスト生成部１１、金属微粒子生成部１０ならびにミスト生成部１１に電圧を印加する電圧印加回路（実施例１の高電圧発生部３００に相当）１２等が収容されている。金属微粒子生成部１０は、３３ＭΩ程度の抵抗体Ｒ１０１、Ｒ１０２（実施例１の抵抗体Ｒ１０１，Ｒ１０２に相当）を介して電圧印加回路１２に接続されて高電圧が印加され、ミスト生成部１１は、３３ＭΩ程度の抵抗体Ｒ２０１、Ｒ２０２（実施例１の抵抗体Ｒ２０１，Ｒ２０２に相当）を介して電圧印加回路１２に接続されて高電圧が印加される。
【００５７】
また、把持部１ａの根元部１ｃ内の空洞１３には、や、動作モードの切り換え等を行うスイッチ部１５が収容されている。さらに、把持部１ａの先端部１ｄ内の空洞には、電源のＯＮとＯＦＦとの切り換えや動作モードの切り換え等を行う別のスイッチ部１６が収容されている。これら電気部品同士は、金属導体等からなる芯線を絶縁性樹脂等で被覆したリード線１７によって接続されている。なお、スイッチ部１５，１６は、ケース３の表面に露出した操作子１８，１９を操作することで、内部接点の開閉状態を切り換えることができるように構成されている。
【００５８】
電圧印加回路１２は、図３に示すように、把持部１ａ内、または本体部１ｂ内で把持部１ａの延長線上となる領域に配置するのが好適である。使用者が把持部１ａを持ったときに、電圧印加回路１２に作用する重力による回転モーメント（のモーメントアーム）を小さくして、使用者の手に作用する負荷を小さくするためである。
【００５９】
内筒６は、筒状部６ａと、筒状部６ａから径方向外側に向けて伸びて周方向に分散して配置された複数の支持リブ６ｂ（図１では一箇所のみ図示）と、支持リブ６ｂを介して筒状部６ａに接続され当該筒状部６ａの軸方向と略直交する方向に張り出すフランジ部６ｃと、を有している。筒状部６ａとフランジ部６ｃとの間には間隙ｇ１が形成されており、この間隙ｇ１を介して空洞９内に空気流Ｗの一部が分岐されて流入し、分岐流Ｗｐが形成されている。なお、分岐流Ｗｐの空洞９内への導入口となる間隙ｇ１は、ファン５の下流でありかつヒータ８の上流側となる位置に設けられている。したがって、分岐流Ｗｐは、ヒータ８によって加熱される前の、比較的冷たい空気流となる。
【００６０】
ケース３には、図４に示すように、空洞９の出口開口４ｂ側となる位置に、楕円形の貫通孔３ｂが形成されており、この貫通孔３ｂを絶縁性の合成樹脂材料からなるカバー２０で塞いである。カバー２０には、金属微粒子排出口２０ａとミスト排出口２０ｂとが形成されている。カバー２０は、金属微粒子あるいはミストによる帯電を抑制するため、ケース３よりも導電性を低くするのが好適である。カバー２０が帯電すると、その電荷によって、金属微粒子生成部１０やミスト生成部１１から電荷を帯びた金属微粒子やミストが放出されにくくなるからである。なお、この部分では、カバー２０がヘアドライヤ１の外壁を成している。
【００６１】
金属微粒子生成部１０は、導電性を有する金属材料によって形成される放電極（実施例１の放電極１０１ａに相当）１０ａおよびグラウンド電極（実施例１の放電対向部１０１ｂに相当）１０ｂを有しており、これら放電極１０ａとグラウンド電極１０ｂとの間に第一の電圧印加回路１４によって高電圧を印加して放電（コロナ放電等）を生じさせ、その放電作用によって放電極１０ａやグラウンド電極１０ｂ等から金属微粒子（金属の分子やイオン等）を放出させるものである。
【００６２】
この金属微粒子生成部１０は、箱状の筐体１０ｃを備えており、放電極１０ａは、筐体１０ｃ内で、当該筐体１０ｃに固定された基台部（例えばプリント基板等、図示せず）に、例えばはんだ付けやかしめ等によって固定されている。
【００６３】
放電極１０ａは、極細の線材として構成することができ、その幅（直径）を、１０〜４００［μｍ］（好適には３０〜３００［μｍ］、より一層好適には５０〜２００［μｍ］）に設定することができる。その場合、断面形状としては、円形、楕円形、多角形形状等、各種採用することができる。なお、放電極１０ａは、尖端を有する針状に形成してもよい。
【００６４】
グラウンド電極１０ｂは、例えば、放電極１０ａの先端側に離間させて当該放電極１０ａの延伸方向と略直交して配置される環状かつ板状の部材として設けることができる。
【００６５】
また、放電極１０ａは、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部１０で生成され放出された金属の微粒子に、金や、銀、銅、亜鉛等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。なお、金属微粒子の放出をさせない部分（例えばグラウンド電極１０ｂ等）は、ステンレススチールや、タングステン等を用いて構成することができる。
【００６６】
また、金属微粒子生成部１０は、放電作用によってイオン（例えばマイナスイオン、例えばＮＯ２−、ＮＯ３−等）を生じさせ、このイオンを、放電極１０ａや、グラウンド電極１０ｂ、他の金属材料や金属成分を含む部材等に衝突させることで、金属微粒子を生成するものであってもよい。すなわち、グラウンド電極１０ｂや上記他の部材を、上記遷移金属を含む材料によって構成し、これらから金属微粒子を放出させるようにしてもよい。
【００６７】
ミスト生成部１１は、導電性を有する金属材料によって形成される放電極（実施例１の放電極２０１ａに相当）１１ａおよびグラウンド電極（実施例１の放電対向部２０１ｂに相当）１１ｂを有しており、これら放電極１１ａとグラウンド電極１１ｂとの間に電圧印加回路１２によって高電圧を印加することで放電（コロナ放電等）を生じさせるものである。具体的には、例えば、放電極１１ａは針状に形成し、グラウンド電極１１ｂは放電極１１ａの先端側に離間配置した環状かつ板状の部材として形成することができる。また、ミスト生成部１１は、冷却機構としてのペルチェ素子（図示せず）および熱伝導性を有する部材（例えば金属部材等）からなる冷却板１１ｃとを含んでおり、ペルチェ素子によって冷却された冷却板１１ｃの表面に空気中の水分を結露させ、結露水を生じるようになっている。かかる構成では、供給された水、すなわち結露水が、放電作用によって微粒化され、ナノメータサイズの非常に細かいミスト（マイナスイオンを含むマイナスに帯電されたミスト）が生成される。本実施形態では、ペルチェ素子および冷却板１１ｃが水供給部に相当する。
【００６８】
本実施例２では、金属微粒子生成部１０およびミスト生成部１１ともに、イオンを発生させるイオン発生部に相当するものである。
【００６９】
また、本実施例２にかかるヘアドライヤ１は、発光部２１を備えている。発光部２１は、空洞９内に配置されたＬＥＤ（発光ダイオード）等の光源２１ａと、光源２１ａの光を導光するアクリル等の透光性を有する合成樹脂材料で形成される導光部材２１ｂと、を有している。図４に示すように、カバー２０の、金属微粒子排出口２０ａとミスト排出口２０ｂとの間には、縦長の長円状の孔２０ｃが形成されており、導光部材２１ｂの光源２１ａと反対側の出射端部２１ｃが、この孔２０ｃに嵌挿されて、カバー２０の外に露出している。したがって、光源２１ａの光は導光部材２１ｂによって導光され、出射端部２１ｃからカバー２０の外に出射される。かかる構成では、ヘアドライヤ１の使用時には、出射端部２１ｃが使用者の頭部に対向して配置されることになる。
【００７０】
この発光部２１は、ヘアドライヤ１の動作モードの表示手段として利用することができる。例えば、ヒータ８を使用していて温風が吹き出されている状態では赤色、ヒータ８を使用せず冷風が吹き出されている状態では緑色、金属微粒子生成部１０が稼動していて金属微粒子が放出されている状態では黄色、ミスト生成部１１が稼動していてミストが放出されている状態では青色、など、動作状態に応じて色を変化させるようにすることができる。この場合、例えば電圧印加回路１２等と同じ基板上に実装された制御回路（図示せず）が各部の動作状態に応じて光源２１ａの発光を制御することができる。この場合、各色に対応する光源２１ａが複数実装され、制御回路がこれら複数の光源２１ａの発光を制御することになる。なお、制御回路によって光源２１ａを点滅させたり、その点滅間隔を制御したり、発光強度を変化させたりすることも可能であり、これら発光形態を、種々の動作モードに対応づけて設定することも可能である。
【００７１】
また、発光部２１からの光によって、人体に所定の効果を与えることも可能である。例えば、光源２１ａとして波長４１５［ｎｍ］の高輝度ＬＥＤを用いた場合には、当該光源２１ａから出射される青色光により、細菌の破壊による殺菌効果や、毛孔の縮小や皮脂の分泌低下等によるざ瘡（にきび）の予防効果などが得られることが確認されている。また、光源２１ａとして波長６３０［ｎｍ］程度の高輝度ＬＥＤを用いた場合には、当該光源２１ａから出射される赤色光により、血行促進、血管新生による新陳代謝の活性、コラーゲンやエラスチンの生成を促進するなどの効果が得られることが確認されている。さらに、赤色光の照射回数を重ねた場合には、小じわ、しみ、くすみ、開大毛孔などの光老化皮膚やざ瘡後の瘢痕の改善に有効であることが確認されている。なお、これらの効果は、人によって異なるものとなる。
【００７２】
さらに、発光部２１を、金属微粒子生成部１０あるいはミスト生成部１１を照らす照射手段として利用することができる。こうすれば、金属微粒子生成部１０やミスト生成部１１の状態を視認しやすくなるとともに、掃除等のメンテナンスを行う場合にも視認性が高まって作業効率が向上するという効果が得られる。
【００７３】
また、本実施例２では、金属微粒子排出口２０ａをミスト排出口２０ｂより小さく形成してある。具体的には、金属微粒子排出口２０ａおよびミスト排出口２０ｂともに断面円形の孔として、金属微粒子排出口２０ａの孔径Ｄａをミスト排出口２０ｂの孔径Ｄｂより小さくしてある（Ｄａ＜Ｄｂ）。
【００７４】
また、本実施例２では、金属微粒子生成部１０のグラウンド電極１０ｂに金属微粒子を通過させる開口部１０ｄを形成し、開口部１０ｄ（孔径：ｄ）を、金属微粒子排出口２０ａと同じ大きさかまたはより小さく形成してある（ｄ＜Ｄａ）。
【００７５】
さらに、本実施例２では、金属微粒子排出口２０ａには、金属微粒子の放出方向に向けてラッパ状に拡開する拡開部２０ｅを設けてある。
【００７６】
以上、説明したように、本実施例２では、金属微粒子排出口２０ａを、ミスト排出口２０ｂより小さく形成した。このため、ミスト排出口２０ｂを介してのミスト生成部１１のメンテナンスや状態の確認等をより容易に行うことができるとともに、金属微粒子排出口２０ａを介しての手指や、道具、異物等の誤進入を抑制することができる。
【００７７】
また、本実施例２では、金属微粒子生成部１０を金属微粒子排出口２０ａに対向させるとともにミスト生成部１１をミスト排出口２０ｂに対向させて設けたため、金属微粒子およびミストの排出効率を高めることができる。金属微粒子生成部１０を金属微粒子排出口２０ａに対向配置させた場合、当該金属微粒子排出口２０ａから放電極１０ａに対して比較的アクセスしやすくなる分、その影響が懸念されるのであるが、本実施形態では、金属微粒子排出口２０ａをミスト排出口２０ｂより小さく形成したことで、金属微粒子排出口２０ａから異物等が進入し難くなるため、上記対向配置したことによる効果を得やすくなる。
【００７８】
また、本実施例２では、金属微粒子生成部１０の放電極１０ａを線材によって構成した。線材は、長さ方向の位置によらず直径が同じである。よって、金属微粒子が放出されて放電極１０ａが徐々に消失しても、放電極１０ａの先端部の形状をほぼ同じ形状（曲率半径）に維持しやすくなって、放電性能ひいては金属微粒子の放出性能の経時変化（経時的な増減）を抑制することができる。また、異物等が進入しやすい状況では、線材としての放電極１０ａに変形が生じて性能の維持に支障を来す虞があるが、本実施形態では、金属微粒子排出口２０ａをミスト排出口２０ｂより小さく形成したことで、金属微粒子排出口２０ａから異物等が進入し難くなるため、放電極１０ａを線材にすることよる上記効果を得やすくなる。
【００７９】
また、本実施例２では、金属微粒子生成部１０のグラウンド電極１０ｂに金属微粒子を通過させる開口部１０ｄを形成し、開口部１０ｄを、金属微粒子排出口２０ａと同じ大きさかまたはより小さく形成してある。したがって、グラウンド電極１０ｂが遮蔽壁となって、外部からの異物等が放電極１０ａにより一層到達し難くなる。
【００８０】
また、本実施例２では、金属微粒子排出口２０ａには、金属微粒子の放出方向に向けてラッパ状に拡開する拡開部２０ｅを設けた。このため、この拡開部２０ｅによって、金属微粒子の拡散性を高めることができる。
【００８１】
さらに、本発明の特徴的なイオン発生装置を上記実施例２の美容装置としてのヘアドライアに適用することが可能となり、小型な構成でもって髪にイオンを塗布する際の効果を高めることができる。
【実施例３】
【００８２】
図６は上述した本発明の特徴的な技術思想が適用可能な美容装置としてのヘアブラシの断面図である。
【００８３】
本実施例３にかかる美容装置としてのヘアブラシ１Ｄは、棒状に形成されており、使用者が把持部１ｆを持って先端部１ｇに設けられたブラシ部２３を髪に当てて整髪する（髪を梳かす）ものである。ブラシ部２３には、複数のブリッスル２３ａが突設されている。
【００８４】
外壁をなすケース３Ｄは、複数の分割体を継ぎ合わせて構成されており、その内部には空洞が形成され、この空洞内に、各種電気部品が収容されている。
【００８５】
また、把持部１ｆのブラシ部２３に近い部分には、膨出した形状の外壁をなすカバー２０Ｄが取り付けられており、このカバー２０Ｄとケース３Ｄとによって形成される空洞９Ｄ内に、金属微粒子生成部１０とマイナスイオン生成部１１ｄとが収容されている。カバー２０Ｄには、ブリッスル２３ａに向けて開放された排出口２０ｄが形成され、金属微粒子生成部１０で生成された金属微粒子ならびにマイナスイオン生成部１１ｄで生成されたマイナスイオンは、この排出口２０ｄから外部に放出され、髪や地肌に作用することになる。なお、金属微粒子生成部１０およびマイナスイオン生成部１１ｄには、抵抗体Ｒ１０１、Ｒ２０１を介して回路部（実施例１の高電圧発生部３００を含む）２４から電圧が印加され、抵抗体Ｒ１０２、Ｒ２０１を介してグランドに接続されている。
【００８６】
さらに、本実施例３では、使用者の帯電によって金属微粒子の放出が阻害されるのを抑制するため、把持部１ｆの表面にチャージ部２５を露出させてある。チャージ部２５は、放出される金属微粒子およびミストの極性と逆の極性（例えば金属微粒子およびミストのマイナスイオンが放出される構成の場合にはプラス）に帯電され、使用者は、このチャージ部２５を握ることで、当該逆の極性に帯電される。なお、チャージ部２５の少なくとも最外層は絶縁性材料で構成されている。
【００８７】
このように、上記実施例３では、本発明の特徴的なイオン発生装置を美容装置としてのヘアブラシに適用することが可能となり、小型な構成でもって髪にイオンを塗布する際の効果を高めることができる。
【実施例４】
【００８８】
図７は上述した本発明の特徴的な技術思想が適用可能な美容装置としてのヘアブラシの断面図である。
【００８９】
本実施例４にかかる美容装置としてのヘアブラシ１Ｅは、基本的には上記実施例３にかかるヘアブラシ１Ｄと同様の構成要素を備えている。
【００９０】
ただし、本実施例４では、空洞９Ｄに空気流Ｗを生じさせるファン５Ｅおよびこのファン５Ｅを回転させるモータ７Ｅを設け、金属微粒子生成部１０で生成した金属微粒子ならびにマイナスイオン生成部１１ｄで生成したマイナスイオンを、分岐流Ｗｐに乗せて排出できるようにした点が、上記実施例３と相違している。
【００９１】
本実施例４では、送風機構としてのモータ７Ｅおよびファン５Ｅは、ケース３Ｅ内に形成される空洞内に収容されている。モータ７Ｅは回路部２４に含まれる駆動回路によって回転駆動される。ケース３Ｅの基端側（図７では下側）には空気の導入口となる開口部１ｈが形成されており、ファン５Ｅが回転すると、空気が外部から開口部１ｈを介して空洞９Ｄ内に流入し、当該空洞９Ｄ内を通って排出口２０ｄからブラシ部２３に向けて排出される空気流Ｗが形成されるとともに、ブラシ部２３のブリッスル２３ａの根元に形成された吹出孔２３ｂからも空気が吹き出される。なお、本実施例４では、電源コード２を介して電気部品に電力が供給されるようになっている。
【００９２】
このように、上記実施例４では、本発明の特徴的なイオン発生装置を美容装置としてのヘアブラシに適用することが可能となり、小型な構成でもって髪にイオンを塗布する際の効果を高めることができる。
【実施例５】
【００９３】
図８、図９は、本発明の実施例５を示しており、このうち、図８は、上述した本発明の特徴的な技術思想が適用可能な美容装置としてのヘアアイロンの側面図、図９は、図８のＡ−Ａ断面図である。
【００９４】
図８に示すように、本実施例５にかかる美容装置としてのヘアアイロン１Ｆは、回動連結部１ｋを介して略Ｖ字状に拡開可能な二つのアーム部１ｉ，１ｊを備えており、それらアーム部１ｉ，１ｊの先端側の挟持部２６に髪を挟み込んで加熱部２７で加熱して整髪するものである。
【００９５】
図９に示すように、外壁をなすケース３Ｆの内部には空洞が形成され、この空洞内に、各種電気部品が収容されている。
【００９６】
アーム部１ｉのケース３Ｆの、挟持部２６に対して回動連結部１ｋ側に隣接する部分には、相反する方向（図９の左右方向）に張り出す外壁をなす一対のカバー２０Ｆ１，２０Ｆ２が取り付けられており、このカバー２０Ｆ１，２０Ｆ２とケース３Ｆとによって形成される空洞９Ｆ内に、金属微粒子生成部１０とマイナスイオン生成部１１ｄとが収容されている。金属微粒子生成部１０は、カバー２０Ｆ１内に収容されており、金属微粒子はカバー２０Ｆ１に形成された金属微粒子排出口２０ａから放出される。一方、マイナスイオン生成部１１ｄは、カバー２０Ｆ２内に収容されており、マイナスイオンはカバー２０Ｆ２に形成されたミスト排出口２０ｂから放出される。
【００９７】
金属微粒子生成部１０は、抵抗体Ｒ１０１，Ｒ１０２を介して高電圧を発生供給する回路部２４に接続され、マイナスイオン生成部１１ｄは、抵抗体Ｒ２０１，Ｒ２０２を介して高電圧を発生供給する回路部２４に接続されている。
【００９８】
この実施例５では、マイナスイオン生成部１１ｄに供給される電流を金属微粒子生成部１０に供給される電流に比べて少なく設定している。このため、金属微粒子生成部１０の抵抗体Ｒ１０１は例えば２５ＭΩ〜４０ＭΩ程度、抵抗体Ｒ１０２は０Ωに設定されるのに対して、マイナスイオン生成部１１ｄの抵抗体Ｒ２０１は５ＭΩ〜２０ＭΩ程度、抵抗体Ｒ２０２は０．１ＭΩ〜５ＭΩ程度に設定され、好ましくは抵抗体Ｒ１０１は３０ＭΩ〜３５ＭΩ程度、マイナスイオン生成部１１ｄの抵抗体Ｒ２０１は５ＭΩ〜２０ＭΩ程度、抵抗体Ｒ２０２は０．５ＭΩ〜４ＭΩ程度に設定され、さらに好ましくは抵抗体Ｒ１０１は３３ＭΩ〜３４ＭΩ程度、マイナスイオン生成部１１ｄの抵抗体Ｒ２０１は１０ＭΩ〜１１ＭΩ程度、抵抗体Ｒ２０２は１ＭΩ〜２ＭΩ程度に設定されることが望ましい。
【００９９】
このように抵抗値をそれぞれ独立して個別に適宜調整することで、金属微粒子生成部１０ならびにマイナスイオン生成部１１ｄの放電効率を調整制御することが可能となる。これにより、金属微粒子生成部１０では、必要量の金属微粒子を吐出する放電を行うことができ、マイナスイオン生成部１１ｄでは、必要量のマイナスイオンを吐出する放電を行うことができる。
【０１００】
また、この実施例５では、上記実施例２〜４と同様に、金属微粒子排出口２０ａを、ミスト排出口２０ｂより小さく形成した。このため、ミスト排出口２０ｂを介してのミスト生成部１１のメンテナンスや状態の確認等をより容易に行うことができるとともに、金属微粒子排出口２０ａを介しての手指や、道具、異物等の誤進入を抑制することができる。
【０１０１】
そして、本実施例５でも、金属微粒子排出口２０ａをミスト排出口２０ｂより小さく形成したことで、金属微粒子排出口２０ａから異物等が進入し難くなるため、金属微粒子生成部１０を金属微粒子排出口２０ａに対向させるとともにミスト生成部１１をミスト排出口２０ｂに対向させて設けたことによる上記効果を得やすくなるとともに、放電極１０ａを線材にすることよる上記効果を得やすくなる。
【０１０２】
また、本実施例５でも、金属微粒子生成部１０のグラウンド電極に形成した開口部を、金属微粒子排出口２０ａと同じ大きさかまたはより小さく形成することで、当該グラウンド電極が遮蔽壁となって、外部からの異物等が放電極により一層到達し難くなる。
【０１０３】
このように、上記実施例５では、本発明の特徴的なイオン発生装置を美容装置としてのヘアアイロンに適用することが可能となり、小型な構成でもって髪にイオンを塗布する際の効果を高めることができる。
【実施例６】
【０１０４】
図１０，図１１，図１２は、本発明の実施例６を示しており、このうち、図１０は上述した本発明の特徴的な技術思想が適用可能な美容装置としてのヘアアイロンの正面図、図１１は図１０に示すヘアアイロンの側面図、図１２は図１０に示すヘアアイロンの側面断面図である。
【０１０５】
図１０に示すように、本実施例６にかかる美容装置としてのヘアアイロンは、略円柱状の把持部５２の先端に円柱状の巻付胴部５１を連設し、把持部５２から先端方向に突出して巻付胴部５１の周面に接離自在にされる押さえ板５３を備えて先端方向に長い略円棒状のヘアアイロン本体５７が形成されている。
【０１０６】
詳しくは、図１２のように巻付胴部５１はその内部にヒータ５８を備えており、断面円状の巻付胴部５１の周面がこのヒータ５８の発熱で加熱される加熱面とされている。また、巻付胴部５１の先端には水タンク５９が付設されており、水タンク５９内に貯水された水をヒータ５８に供給して蒸発させて巻付胴部５１の周面から外方にスチームとして噴出可能にされている。
【０１０７】
ここで、加熱面となる巻付胴部５１の周面は伝熱性が高く且つ複数のスチーム噴出口（図示せず）が設けられた金属製の断面円状のパイプ材にて構成されている。また、押さえ板５３は、巻付胴部５１の周面に沿う円弧状断面を有する先端方向に長いヘラ板状の押さえ板面部５３ａとこの押さえ板面部５３ａの基端部から延出された操作部５３ｂとを備えて形成されており、操作部５３ｂを把持部５２の先端部位にバネ６０を介して枢支させ、バネ６０の付勢によって押さえ板面部５３ａが巻付胴部５１の周面に弾接されるようにされている。
【０１０８】
なお、押さえ板面部５３ａには複数の貫通孔６１（図１３参照）を設けてもよい。この貫通孔６１は周部挟持面５４に噴出されたスチームを逃がすための孔であり、押さえ板面部５３ａを巻付胴部５１の周面に弾接させた際に巻付胴部５１のスチーム噴出口とは重ならない位置に配設される。つまり、本実施例６のヘアアイロンは、把持部５２を使用者が握って巻付胴部５１の周面に髪を巻付け、この髪を巻付胴部５１の周面と押さえ板５３とが対向する周部挟持面５４の間に挟持させることで、髪にカール状のくせ付けを施し得るようにしたヘアアイロンである。
【０１０９】
また、把持部５２には、先の実施例５で説明したと同様に構成された、マイナスイオンを生成するマイナスイオン生成部と、金属微粒子を生成する金属微粒子発生部とが設けられている。マイナスイオン生成部としては、先の実施例５で説明したと同様の抵抗体を介してグランド電極及び針電極に高電圧発生回路６３を接続し、グランド電極を基準として針電極に高電圧を印加して針電極でのコロナ放電によって多量のマイナスイオンを発生させ、このマイナスイオンをイオン放出口５５ａから放出させる。同様にして金属微粒子生成部で生成された金属微粒子をイオン放出口５５ｂから放出させる。
【０１１０】
なお、マイナスイオン生成部では、コロナ放電が行われる針電極の先端よりもイオン放出口５５ａ側にグランド電極が配置され、この針電極とグランド電極との位置関係からイオン放出口５５ａに向けてイオン風が発生され、このイオン風によってイオン放出口５５ａから外方にマイナスイオンが放出可能にされている。また、図示はしないが、マイナスイオン発生部にファンを内蔵し、ファンの風力にてイオン放出口５５ａからマイナスイオンを外方に放出させることも好ましい。上記マイナスイオン生成部で採用した構成は、金属微粒子生成部で採用することもできる。
【０１１１】
把持部５２の周面には、把持部５２を握った使用者をプラス電位に帯電させてマイナスイオンを付着させ易くする帯電部が設けられている。この帯電部は、プラス電圧を発生させるプラス電圧発生回路とこのプラス電圧発生回路の出力端子に接続された導電部材とで構成される。詳しくは、把持部５２はグリップ形状の絶縁物（樹脂成型品）で形成されているが、把持部５２の周面の一部に帯電部の導電部材６５が配置されている。また、把持部５２の基端には上記ヒータ５８やマイナスイオン発生部や帯電部に給電させる電源コード６６が延出されている。
【０１１２】
ここで、把持部５２の周面にはスイッチ６７が設けられ、このスイッチ６７の切換によってヒータ５８やマイナスイオン生成部や帯電部への通電が制御されてオンオフ操作が行われる。なお、スチーム発生のオンオフ操作は水タンク５９からヒータ５８への水の供給、停止操作にて行われている。具体的に、水タンク５９は巻付胴部５１の先端に突没自在に付設されているが、水タンク５９を巻付胴部５１に向けて押没させると、水タンク５９内の水を含んだ吸水材６８がヒータ５８に接触され、吸水材５８を介して水タンク５９内の水がヒータ５８にてスチーム化されるようにされている。
【０１１３】
ところで、マイナスイオン生成部のイオン放出口５５ａは、巻付胴部５１の軸方向の端部に設けられ、その開口は巻付胴部５１の周部挟持面５４に向けて開口するように形成されている。詳しくは、イオン放出口５５ａの開口は、巻付胴部５１の軸方向の端部（本実施例６では巻付胴部５１の軸方向の端部に隣接する把持部５２の先端部位）の周部挟持面５４の近傍位置に配設されており、その開口は、放出されるマイナスイオンの放出角度γ内に周部挟持面５４を収めるようにして形成されている（図１１参照）。なお、図示はしないが、イオン放出口５５ａの開口は巻付胴部５１の軸方向の端部に直接配設してもよい。
【０１１４】
ここで、マイナスイオンの放出角度γとは、イオン放出口５５ａの開口方向を中心とした周方向への広がり角度をいう。各イオン放出口５５ａ，５５ｂの開口は巻付胴部５１の軸方向の先端側に向けて開口するようにそれぞれ形成されている。これにより、イオン放出口５５ａから放出されたマイナスイオンは、周部挟持面５４に挟持させた髪の全体に効率よく付着されるようにされている。詳しくは、髪の周部挟持面５４への挟持部位の前後部位にマイナスイオンが効率よく付着されるようにされている。これにより、マイナスイオンの効能を髪に効率よく付与させて髪の毛先までしっとりと仕上げることが可能にされている。
【０１１５】
このように、イオン放出口５５ａを巻付胴部５１の径外方向に突出した位置に配置させたり、イオン放出口５５ａの開口を巻付胴部５１の径外方向に向けて形成させることで、イオン放出口５５ａから放出したマイナスイオンの大部分が巻付胴部５１の周面ではなくて髪に直接付着されるようにしているのである。
【０１１６】
ここで、イオン放出口５５ａから放出したマイナスイオンが大量に金属製のパイプ材で構成された巻付胴部５１の周面に付着すると、巻付胴部５１の周面全体がマイナスに帯電し、その後、巻付胴部５１の周面近傍に放出されたマイナスイオンを反発させて遠くに飛ばしてしまって、結果、マイナスイオンの周部挟持面５４近傍の髪への付着に障害となるものであった。
【０１１７】
しかしながら、本実施例６のヘアアイロンでは、上記のように巻付胴部５１から径外方向に離れた位置にあるイオン放出口５５ａから径外方向に向けてマイナスイオンを放出させる構造となっているので、マイナスイオンの大部分を巻付胴部５１の周面に付着させることなく、髪に直接付着させることができるので、マイナスイオンの髪全体への効率良い付着の確保が図られているのである。
【０１１８】
金属微粒子生成部で生成されて放出される金属微粒子においても、上記マイナスイオンと同様の効果を得ることができる。
【０１１９】
上述したように、本実施例６のヘアアイロンは、髪を巻き付ける巻付胴部５１の周面が金属製のパイプ材で構成される加熱面であり、この巻付胴部５１の周面と押さえ板５３との周部挟持面５４に髪を挟持させて髪にカール状のくせ付けを施すカールタイプのヘアアイロンであって、このカルタイプのヘアアイロンにマイナスイオン生成部ならびに金属微粒子生成部を備えたものであるが、金属製のパイプ材で構成される巻付胴部５１の周面にイオン放出口５５ａから放出させたマイナスイオン、イオン放出口５５ｂから放出させた金属微粒子を極力当てないようにし、且つ、周部挟持面５４に挟持させた髪の全体に効率よくマイナスイオンならびに金属微粒子を付着させるようにしたので、従来、髪に適度なマイナスイオンならびに金属微粒子の効能を付与させるため（髪に適量のマイナスイオンならびに金属微粒子を付着させるため）に多くなりがちであったマイナスイオン生成部ならびに金属微粒子生成部の設置個数を抑制し、ヘアアイロンの構成の複雑化や大型化の回避が図られているのである。
【０１２０】
このように、上記実施例６では、本発明の特徴的なイオン発生装置を美容装置としてのヘアアイロンに適用することが可能となり、小型な構成でもって髪にイオンを塗布する際の効果を高めることができる。
【実施例７】
【０１２１】
図１３，図１４は、本発明の実施例７を示しており、このうち、図１３は上述した本発明の特徴的な技術思想が適用可能な美容装置としてのヘアアイロンの正面図、図１４は図１３に示すヘアアイロンの側面図である。
【０１２２】
図１３に示すように、本実施例７にかかる美容装置としてのヘアアイロンは、先の実施例６のヘアアイロンのように髪にカール状のくせ付けを施し得る機能を有し、更に髪にストレート状のくせ付けを施し得る機能をも付加させたものであり、カール状にくせ付けを施す髪に加え、ストレート状にくせ付けを施す髪にもマイナスイオンならびに金属微粒子を効率よく付着させようとするものである。以下、先の図１０〜図１２と同様部分には同符合を付して説明を省き、異なる部分につき詳述する。
【０１２３】
この実施例７のヘアアイロンは、周面が加熱面とされた半円柱状の一対の分割胴部５１ａ，５１ｂを接離自在にして円柱状の巻付胴部５１が形成されており、対向する一対の分割胴部５１ａ，５１ｂの間に髪を挟持させて髪にくせ付けを施す内部挟持面５６が設けられている。詳しくは、ヘアアイロン本体５７は半円柱状の分割把持部５２ａ（５２ｂ）の先端に半円柱状の分割胴部５１ａ（５１ｂ）を連設した一対の半体５７ａ，５７ｂから構成され、一対の半体５７ａ，５７ｂの基端部同士を枢支連結させて一対の半体５７ａ，５７ｂ同士の対向面が接離自在にされており、一対の半体５７ａ，５７ｂ同士を合わせたときには一対の分割把持部５２ａ，５２ｂ同士によって円柱状の把持部５２が形成されると共に一対の分割胴部５１ａ，５１ｂ同士によって円柱状の巻付胴部５１が形成されるようにされている。
【０１２４】
ここで、それぞれの分割胴部５１ａ（５１ｂ）の内部にはそれぞれヒータ５８が備えられ、断面半円状の分割胴部５１ａ（５１ｂ）の周面はヒータ５８の発熱で加熱される加熱面とされている。つまり、略平面状の加熱面である一対の分割胴部５１ａ，５１ｂの対向面が、その間に髪を挟持させて髪にストレート状のくせ付けを施す内部挟持面５６を構成しているのである。なお、この内部挟持面５６では、加熱面同士で髪を挟持するものであるから、髪に比較的強いくせ付けを施すことが可能である。
【０１２５】
また、一対の分割胴部５１ａ，５１ｂを有する本実施例７のヘアアイロンにも先の実施例６のヘアアイロンと同様に押さえ板５３が備えられている。この押さえ板５３は一方の半体５７ａの分割把持部５２ａに付設され、この一方の半体５７ａの分割胴部５１ａにおける円弧状の周面に接離自在にされている。ここで、この押さえ板５３の分割胴部５１ａへの接離方向は一方の半体５７ａの他方の半体５７ｂへの接離方向と同方向に設定されている。つまり、一方の半体５７ａにおける断面半円状の分割胴部５１ａにあって、その周面の円弧状部位は押さえ板５３との協働で髪を挟持する周部挟持面５４を構成し、その周面の平面状部位は他方の半体５７ｂの分割胴部５１ｂの対向面（他方の半体５７ｂの分割胴部５１ａにおける周面の平面状部位）との協働で髪を挟持する内部挟持面５６を構成しているのである。
【０１２６】
また、一方の半体５７ａの分割胴部５１ａの先端には水タンク５９が突没自在に付設されており、水タンク５９内の水をヒータ５８にてスチーム化させてこの一方の半体５７ａの分割胴部５１ａの周面から外方に噴出可能にされている。なお、他方の半体５７ｂの分割胴部５１ｂの先端にはキャップ６９が突没自在に備えられている。このキャップ６９は水を貯えるものではないが、一対の半体５７ａ，５７ｂ同士を合わせたときに水タンク５９と一緒に分割胴部方向に押没させ、スチーム発生の操作を容易に行えるようにしたものである。つまり、加熱面とされる各分割胴部５１ａ，５１ｂの周面はそれぞれヒータ５８にて加熱される金属製の断面半円状のパイプ材で構成されているが、水タンク５９が付設された一方の半体５７ａの分割胴部５１ａの周面を構成する金属製の断面半円状のパイプ材には複数のスチーム噴出口（図示せず）が穿孔されているのである。
【０１２７】
このようにヘアアイロンは、髪にカール状のくせ付けを施し得る円弧面状の周部挟持面５４に加え、髪にストレート状のくせ付けを施し得る平板状の内部挟持面５６を備えたものであるが、各挟持面５４，５６に挟持させた髪全体に効率よくマイナスイオンを付着させるべく、先の実施例６と同様のマイナスイオン生成部と金属微粒子を付着させるべく金属微粒子生成部とが備えられている。
【０１２８】
上述したように、本実施例７のヘアアイロンは、円弧面状の周部挟持面５４に髪を挟持させて髪にカール状のくせ付けを施し得ると共に、平面状の内部挟持面５６に髪を挟持させて髪にストレート状のくせ付けを施し得るカール＆ストレートタイプのヘアアイロンであって、このカール＆ストレートタイプのヘアアイロンにマイナスイオン生成部ならびに金属微粒子生成部を備えたものであるが、それぞれ金属製のパイプ材で構成される一対の分割胴部５１ａ，５１ｂで構成された巻付胴部５１の周面にイオン放出口５５ａ，５５ｂから放出させたマイナスイオンならびに金属微粒子を極力当てないようにし、且つ、周部挟持面５４または内部挟持面５６に挟持させた髪のそれぞれ全体に効率よくマイナスイオンならびに金属微粒子を付着させるようにしたので、従来、髪に適度なマイナスイオンならびに金属微粒子の効能を付与させるために多くなりがちであったマイナスイオン生成部ならびに金属微粒子生成部の設置個数を抑制できてヘアアイロンの構成の複雑化や大型化の回避が図られる。
【０１２９】
このように、上記実施例７では、本発明の特徴的なイオン発生装置を美容装置としてのヘアアイロンに適用することが可能となり、小型な構成でもって髪にイオンを塗布する際の効果を高めることができる。
【実施例８】
【０１３０】
図１５，図１６は、本発明の実施例８を示しており、このうち、図１５は上述した本発明の特徴的な技術思想が適用可能な美容装置としてのミスト発生装置の構成を示すブロック図、図１６は図１５に示すミスト発生装置の外観を示す斜視図である。
【０１３１】
図１５，図１６において、ミスト発生装置Ａは給水タンク７７から供給される水を加熱して発生したスチームを放電によりミスト化してスチームノズル７１から噴出させるスチーム発生機構７０と、給水タンク７７から供給される水とポンプ７９から圧送される空気を混合して得られる冷ミストをミストノズル７３から噴出させる冷ミスト発生機構８２と、マイナスイオン放電部８６で生成されたマイナスイオンをイオンノズル７２から放出するマイナスイオン発生機構８１を備え、スチームノズル７１を複数備えることで肌に熱的刺激を与えて美肌効果を高められるようにしたものである。
【０１３２】
スチーム発生機構７０は、給水タンク７７から供給される水を加熱してスチームを発生させるスチームボイラー８３と、発生させたスチームをミスト化するするための放電部８４と、乱れたミストを整流するミスト整流部８５と、ミスト化したスチームを噴出するスチームノズル７１とを備えて構成されている。
【０１３３】
このような構成において、スチーム発生機構７０は、給水タンク７７から供給された水は給水路に設けられた分岐部９１を通ってスチームボイラー８３に供給されて一定の水位で安定する。スチームボイラー８３に供給された水は加熱されてスチーム路９２を通って複数のスチームノズル７１から噴出される。このときに、スチームがスチーム路９２を通る際に、放電部８４を構成する放電針によって高圧放電を受けることでスチームがミスト化される。また、ミスト化されたスチームがミスト整流部８５を通ることで乱れたスチームが整流される。また、スチーム化によってスチームボイラー８３内の水が減少して水位が低下すると、一定の水位で安定しようとして給水タンク７７からスチームボイラー８３への給水が開始され、これらの動作が繰り返されることでミスト化されたスチームがスチームノズル７１から連続して噴出される。
【０１３４】
冷ミスト発生機構８２は、給水路の分岐部９１に液体供給路８７の一端が接続され、液体供給路８７の他端がポンプ７９とミストノズル７３とを接続する空気の送出路８８に接続されて構成されている。このような構成において、ポンプ７９が駆動されてポンプ７９から噴出された空気は送出路８８を通ってミストノズル７３から噴出される。このとき、ベンチェリー効果が発生するように構成されたミストノズル７３は、液体供給路８７を介して液体供給路８７内の温水を汲み上げて冷ミストを噴出する。この実施例８では、ミストノズル７３は図１６に示すように２つのスチームノズル７１間の略中心に配置されている。
【０１３５】
マイナスイオン発生機構８１は、ノズルブロック９３に取り付けられており、マイナスイオン放電部８６を構成する放電針と対極板間で高電圧放電を行うことでマイナスイオンを発生し、発生したマイナスイオンをイオンノズル７２から放出し、放出されたマイナスイオンはスチームノズル７１から噴出されたスチームと混合される。この実施例８では、イオンノズル７２は２つのスチームノズル７１の中心線上に配置され、ミストノズル７３の概ね２０ｍｍ程度上方に配置されている。
【０１３６】
スチームボイラー８３で生成されたスチームをミスト化する放電部８４と、マイナスイオン発生機構８１のマイナスイオン放電部８６とは、先の実施例１で説明したと同様に、抵抗体を介して同一の高電圧発生回路に接続されている。この高電圧発生回路は交流電源が与えられて交流の高電圧で放電が行われているので、先の図２に示すようにダイオードを用いて整流することでマイナスイオンのみを生成している。なお、マイナスイオンと同時にプラスイオンを発生させる構成を採用してもよく、また、マイナスイオンに代えてプラスイオンのみを発生させるようにしてもかまわない。
【０１３７】
ミスト発生装置Ａは、本体の天面９４の後部にスチームノズル７１、イオンノズル７２、ミストノズル７３とが取り付けられたノズルブロック９３が設けられている。天面９４は、本体蓋９５により開閉自在とされる。本体蓋９５は、本体に設けたヒンジ部により回転可能に取付けられており、美容装置の使用時には開姿勢、収納時には閉姿勢に保たれる。閉姿勢では天面９４が覆い隠される。本体の外側には持ち運び用の取手９６が取り付けられている。本例では取手９６の両端は、ハウジング９７の両側壁に設けた取付部により上下回りに回動可能に取付けられていると共に、本体蓋９５を開いた状態では本体蓋９５が邪魔をして取手９６を上方に回動させることができない設計としている。これにより、取手９６を持って持ち運ぶ時は本体蓋９５を閉じた状態としなければ持ち運び可能角度まで取手９６を回動させることができないため、持ち運ぶ時は必ず本体動作がヒンジ部内蔵のリードスイッチによって停止され、安全性が向上する。
【０１３８】
また、本体の天面９４には、電源ボタン７４と運転制御ボタン７４と使用コース選択ボタン７５とが設けられている。電源ボタン７４は機械的スイッチとし、本体暴走時でも確実に本体動作を停止できるようにする。運転制御ボタン７４は本体の運転開始と運転停止の機能を有する。使用コース選択ボタン７５は任意の使用コースを選択するために用いる。
【０１３９】
各ボタン７４〜７５からの入力信号はマイコンで構成される制御回路７８に送られる。なお、上記使用コース選択ボタン７５は、例えば押す毎に使用コースが順次切り替るよう設定する。例えば、スチームによる温とミストによる冷の発生時間と繰返し回数を肌への効果が最適となるように適宜任意に設定され、例えば温と冷を同時に肌へ与えず、温度差による肌への刺激を重視するため交互に与えるような使用コースが含まれる。
【０１４０】
また、上記給水経路の分岐部９１には、排水ボタン８９で開閉される排水経路９８が接続されており、使用後に排水ボタン８９を押して排水経路９８を開くだけで本体内の残水を分岐部９１から排水口９０へ容易に排水できる構造となっている。
【０１４１】
このように、上記実施例８では、本発明の特徴的なイオン発生装置を美容装置としてのミスト発生装置に適用することが可能となり、小型な構成でもって肌への美容効果を高めることができる。すなわち、スチーム発生機構７０で生成されたスチームとマイナスイオン発生機構８１で生成されたマイナスイオンとを混合して肌に与えることで、肌のバリア機能を改善できることに加えて、肌の水分保持量を増加させることができ、肌のキメを改善することが可能となる。
【０１４２】
なお、本発明の実施形態は上記各実施例に限定されることはなく、種々の変形が可能である。
【０１４３】
例えば、金属微粒子を排出する排出口およびミストを排出する排出口は、断面円形孔である必要はなく、楕円形や矩形等、他の形状であってもよい。抵抗体は、回路部品としてのディスクリート素子の抵抗器に限らず、ＨＧ等の導電性の低い部材でもかまわない。高電圧発生部３００から発生する高電圧はパルス電圧であってもよい。
【符号の説明】
【０１４４】
１００…マイナスイオン発生部
１０１，２０１…放電部
１０１ａ，２０１ａ…放電極
１０１ｂ，２０１ｂ…放電対向部
２００…微細化ミスト発生部
３００…高電圧発生部
Ｒ１０１，Ｒ１０２，Ｒ２０１，Ｒ２０２…抵抗体
【図１】
2011005147.tif 000003
【図２】
2011005147.tif 000004
【図３】
2011005147.tif 000005
【図４】
2011005147.tif 000006
【図５】
2011005147.tif 000007
【図６】
2011005147.tif 000008
【図７】
2011005147.tif 000009
【図８】
2011005147.tif 000010
【図９】
2011005147.tif 000011
【図１０】
2011005147.tif 000012
【図１１】
2011005147.tif 000013
【図１２】
2011005147.tif 000014
【図１３】
2011005147.tif 000015
【図１４】
2011005147.tif 000016
【図１５】
2011005147.tif 000017
【図１６】
2011005147.tif 000018